(57)【特許請求の範囲】
【請求項１】
プラスチックフィルムまたは箔からなる基材の片面に感圧性接着剤層を設けると共に、この感圧性接着剤層上に少なくとも指で掴める幅にその両端部もしくは片端部の長手方向にカットラインを入れて掴み部を形成した離型紙を貼着し、さらに前記掴み部に接する部位近傍の離型紙背面に、離型紙に接着する幅を除いて１ｃｍ以上で製品幅の１／３を超えない幅長さを持つ把持片を４０ｇ／１０ｍｍ以上の接合強度が保持されるように所望の幅に接合せしめてなることを特徴とする粘着フィルム。
【発明の詳細な説明】
【０００１】
【発明の属する技術分野】
この発明は、人体や動物の身体の火傷，切傷，炎症部位等の創傷面に貼着してこれらを保護するために、もしくはあらかじめ手術周辺部に貼着して周辺皮膚表面雑菌の移動を防止するために用いる粘着フィルムに関するものである。
【０００２】
【従来の技術】
近年、接着性を有しかつ酸素と水蒸気に対して高い透過性を有する通気性の、または逆に皮膚からの水蒸気の発散を防ぐ水蒸気非透過性の粘着フィルムが、例えば身体の火傷、切傷、炎症部位等の創傷面を保護する目的で、もしくは手術周辺部に貼着して周辺皮膚表面雑菌の移動を防止する目的で用いられてきている。そして、この粘着フィルムは身体の部分の形状に完全に追従しなければならず、しかも皮膚に直接貼着される関係上、基材が極めて薄いフィルム状もしくは箔状のものが要求されている。しかしながら、このように基材が薄いフィルム状または箔状の粘着フィルムは、その薄さのため貼着しようとする患部の表面積が大きくなればなるほど施用が非常に困難なものとなる。即ち、患部の表面積が大きくなるにつれて、貼着時にしわが入ったり、カールして接着剤同士がくっついてしまうというようなことが多くなるからである。
【０００３】
ところで、このような問題を解決したドレープと称するいくつかの基材が薄いフィルム状または箔状の粘着フィルムが提案されている。例えば図７に示す粘着フィルムがあり、これは基材１の両端に粘着剤２の塗布されていない把持部分１ａを設けたものである。この把持部分１ａを持ってフィルム状または箔状の基材１を離型紙３より引き剥がして使用している。しかしながら、基材１が非常に薄いフィルム状または箔状であるため、この把持部分１ａが自立できず、カールしたり，折れ曲がったりして取扱いにはなはだ不都合が生じる。
【０００４】
これを解決するために、図８に示す粘着フィルムがあり、これは把持部分１ａ上に補強粘着テープ４を張りつけたものである。この粘着フィルムでは、被着体への貼着作業性は向上するが、補強粘着テープ４を基材１より引き剥がす時に基材１が伸びたり，破れたりする欠点の他、被着体への貼着後も端部に図７同様の非粘着部分が生じるので、貼着後に非粘着部分より剥がれやすいなどの患者の快適性を損なう恐れがある。
【０００５】
また、これを解決するために、図９に示す粘着フィルムがあり、これは基材１の端部に把持片５を熱融着すると共にミシン目６を設けたものである。この把持片５と離型紙３の端末を持って、離型紙３を基材１より引き剥がして、基材１を患者の皮膚に貼着する。しかる後に、ミシン目６から基材１の端末を切り離し、把持片５を取り去る。しかしながら、このように離型紙３を剥離するとき、ともすればミシン目６より基材１が破断したり，ミシン目６より基材１の端部を切り離すときに端が伸びて、カールしたりすることがあり、貼着作業性に難点がある他、基材端部の被着体への密着性に問題がある。
【０００６】
さらに、これを解決するために、図１０に示す粘着フィルムがあり、これは基材１の端末に把持片５となる離型紙を平行に並べ、この把持片５と基材１とを剛性をもつ補強粘着テープ４で上部より貼り合わせたものである。しかしながら、この粘着フィルムでは離型紙３の剥離作業性は良好であるが、補強粘着テープ４は基材１の端部から剥がすことができない。つまり無理に剥がすと基材１が破れたり，伸びたりしてカールし、基材１端部が団子状になり基材１端部が肌に密着しないためである。即ち、この方法では最終的には把持片５を取り去って補強粘着テープ４で基材１の端部を肌に貼着させなければならない。その結果、図８および図９に示す粘着フィルムと同様に基材１の酸素と水蒸気に対する透過性や気密性を失い、粘着フィルムとしての機能を失うおそれがあるばかりでなく、補強粘着テープ４に剛性があるためゴワゴワして患者の快適性を損なうことにもなる。
【０００７】
【発明が解決しようとする課題】
以上のように従来から提案されている粘着フィルムは、いずれも基材１の端末部分の貼着に問題があり、特に把持片５の除去並びに把持部分となる基材１の端末部分の機能が不十分なために、結果的に基材１そのものの機能をも阻害するという致命的な欠点を有している。
【０００８】
この発明はかかる問題点を解消するためになされたもので、特に基材の離型紙からの剥離が容易であることは勿論のこと、基材端部の被着体への貼着が完全で、しかも貼着後における基材の酸素と水蒸気に対する高い透過性を有する通気性もしくは逆に皮膚からの水蒸気の発散を防ぐ水蒸気非透過性を損なわない粘着フィルムを得ることを目的とする。
【０００９】
【課題を解決するための手段】
この発明に係る粘着フィルムは、プラスチックフィルムまたは箔からなる基材の片面に感圧性接着剤層を設けると共に、この感圧性接着剤層上に少なくとも指で掴める幅にその両端部もしくは片端部の長手方向にカットラインをいれて掴み部を形成した離型紙を貼着し、さらに前記掴み部に接する部位近傍の離型紙背面に所望の幅の把持片を接合せしめてなるものである。
【００１０】
従って、この発明においては、基材上に把持片を設ける等の加工を一切行わないために、基材は常に均一性を有し、貼着時基材端末部の被着体への密着性を確保する働きを有する。また、粘着フィルムの製造時における基材への汚れの付着が防止できるという衛生機能を有する。さらに施用時においては離型紙にカットラインを入れて形成した掴み部が貼着時まで基材端部を保護するという基材端部保護機能を有する。また貼着後に掴み部を基材から引き剥がすに際して、基材内側方向より外側に向けて引き剥がすことにより基材端末にしわやカールを生じさせることなく被着体に容易にかつ完全に密着させることができるという働きを有する。
【００１１】
【発明の実施の形態】
以下、この発明の実施の形態を図面に基づいて説明する。図１〜図６はこの発明の異なる実施の形態を示す粘着フィルムの縦断側面図であり、基本構造としてプラスチックフィルムまたは箔からなる基材７とその片面に設けた感圧性接着剤層８とこの感圧性接着剤層８に貼着されかつカットライン９により掴み部１０が形成された離型紙１１と離型紙１１に接合した把持片１２とを備えている。そして、図１のものは２枚の掴み部１０と２枚の把持片１２とを有しかつそれぞれの把持片１２が離型紙１１の端部近傍にカットライン９より外側方向に位置するように接合されてなる粘着フィルム、図２のものは１枚の掴み部１０と１枚の把持片１２とを有しかつ把持片１２が離型紙１１の端部近傍にカットライン９より外側方向に位置するように接合されてなる粘着フィルム、図３のものは２枚の掴み部１０と１枚の把持片１２とを有しかつ把持片１２が離型紙１１の端部近傍にカットライン９より外側方向に位置するように接合されてなる粘着フィルム、図４のものは２枚の掴み部１０と２枚の把持片１２とを有しかつ２枚の把持片１２がそれぞれ離型紙１１の端部近傍にカットライン９より内側方向に位置するように接合されてなる粘着フィルム、図５のものは１枚の掴み部１０と１枚の把持片１２とを有しかつ把持片１２が離型紙１１の端部近傍にカットライン９より内側方向に位置するように接合されてなる粘着フィルム、図６のものは２枚の掴み部１０と１枚の把持片１２とを有しかつ把持片１２が離型紙１１の端部近傍にカットライン９より内側方向に位置するように接合されてなる粘着フィルムである。
【００１２】
ここにおいて、図１〜図６に示すこの発明の各実施の形態は、基材７として、厚さ１０μ〜１００μｍのフィルム状ないし箔状の熱可塑性樹脂であって、例えばポリエチレン樹脂，ポリプロピレン樹脂，ポリ塩化ビニル樹脂，ポリウレタン樹脂，ポリアミド樹脂，エチレン酢酸ビニル共重合体樹脂，ポリエステル樹脂，フッソ含有共重合体樹脂，ポリスチレン樹脂，ポリ塩化ビニリデン樹脂が適宜選択されて使用される。そして、この中でも特に通気性を持つ箔またはフィルムとしてウレタンフィルムまたは箔が最適である。また、非通気性の基材７としては水蒸気不透過率の高いポリ塩化ビニリデンが好ましい。
【００１３】
また、基材７のフィルムまたは箔は、透明であっても不透明であっても、着色されていても非着色であっても良いが、傷等の患部を上から見ながら貼着しなければならないような用途では、当然透明フィルムでなければならない。
【００１４】
次に、感圧性接着剤層８としては、医療用としてカブレや刺激の少ない接着剤が選択される。そして、これらの主成分としては天然ゴム，水系高分子エマルジョン，熱可塑性ゴム，ポリウレタン，ポリアクリルエステルコポリマー等が適宜選択されて使用される。また、溶媒としては水系，溶剤系いずれも使用することができる。
【００１５】
一方、この発明に用いられる感圧性接着剤層８の粘着力は、被着体特に人体または動物の皮膚に対し、１００ｇ／１０ｍｍ〜８００ｇ／１０ｍｍの粘着力が必要である。これは１００ｇ／１０ｍｍ以下では粘着力が弱すぎ、皮膚の発汗や動き等によって剥がれてしまう恐れがあるからであり、８００ｇ／１０ｍｍ以上では粘着力が強すぎ、誤着や取り替え時の剥離においてかえって皮膚を痛めてしまう恐れがあるからである。
【００１６】
さらに、離型紙１１の材質としては、通常医療用粘着フィルムの離型紙として用いられるものであって良いが、シリコーン処理されたクラフト紙，グラシン紙またはシリコーン処理されたポリエチレンをラミネートしたクラフト紙，グラシン紙等が好適に用いられる。
【００１７】
また、この離型紙１１の感圧性接着剤層８からの剥離力は、略０．５ｇ／１０ｍｍ〜３０ｇ／１０ｍｍ、より好適には略１ｇ／１０ｍｍ〜１０ｇ／１０ｍｍが要求される。その理由は、０．５ｇ／１０ｍｍ以下の軽い力で剥離できるような場合は保管や運搬中の衝撃や動きで離型紙１１が剥がれてしまい、感圧性接着剤層８がむき出しになる恐れがあるからである。また、３０ｇ／１０ｍｍ以上の重い剥離力では、施用にあたって感圧性接着剤層８からの剥離に手間取ったり，離型剤層の層間剥離を引き起こしたりして好ましくないからである。
【００１８】
さらに、この離型紙１１の片端部もしくは両端部に設けた掴み部１０を形成するためのカットライン９は、基材７が切断されることなく離型紙１１のみあるいは離型紙１１及び感圧性接着剤層８に完全に切り込まれる必要がある。なぜなら、基材７にまでカットライン９が到達していると、把持片１２と掴み部１０をもって基材７から離型紙１１を引き剥がす際、掴み部１０が基材７ごとカットライン９より破断してしまうためである。また、カットライン９が逆に離型紙１１に完全に切り込まれていないと、掴み部１０と把持片１２をもって引き剥がすときに把持片１２が離型紙１１から外れたり、離型紙１１がカットライン９の位置近傍で引き裂けたりあるいは離型紙１１が層間剥離を起して好ましくないためである。
【００１９】
さらにまた、この把持片１２の幅は掴み部１０の幅より広くても，狭くてもあるいは同じでも良いが、好ましくは把持片１２の幅と掴み部１０のどちらかの幅が他方の幅よりも広いことが好ましい。
また、掴み部１０の幅は少なくとも指で掴める幅即ち略１ｃｍ以上から製品幅の１／４を超えない大きさが適当である。なぜなら、掴み部１０の長さが略１ｃｍ未満の場合は、施用時、把持面積が小さすぎて持ちにくく、作業がやりにくい。また製品幅の１／４を超えると製品としての形状をなさない。
【００２０】
また、把持片１２の幅長さは、離型紙１１に接着する幅を除いて略１ｃｍ以上で製品幅の１／３を超えない幅長さが適当である。この把持片１２の幅長さを調節することにより被着体に対する有効な透視面積が確保でき、これにより作業性がさらに良くなる。
【００２１】
一方、把持片１２を構成するフィルムは、ポリエチレン，ポリプロピレン，ポリアミド，ポリ塩化ビニル，ポリエステルなどのプラスチックフィルムであっても良いし、クラフト紙，グラシン紙等の紙素材であっても良いが、把持したときに適度な摩擦抵抗を有するものが望ましい。
【００２２】
さらに、把持片１２はカットライン９に接する部位近傍の離型紙１１の背面に図１〜図６に示すように一定の接合幅を持つように接合されるが、図１〜図３に示すようにカットライン９より外側方向へ位置するように接合しても良いし、逆に図４〜図６に示すようにカットライン９より内側方向に位置するように接合しても良い。また、把持片１２と離型紙１１とを接合する接合部１３の接合強度は略４０ｇ／１０ｍｍ以上の強度が必要であるが、さらに好ましくは１００ｇ／１０ｍｍ以上の接合強度を持つことが望ましい。これは離型紙１１と感圧性接着剤層８との剥離強度を超えることが必要であり、さらに基材７と離型紙１１とを剥離するときに生じる剛性抵抗に耐える必要があるためである。なお、把持片１２と離型紙１１とを接合するに際しては、粘着剤、接着剤で接合する他、熱融着接合させてもよい。
【００２３】
次に、図１，図４の粘着フィルムの施用例について述べれば、離型紙１１の背面に接着した一方の把持片１２を一方の手に持つかあるいは一人が持ち、この一方の把持片１２と同じ側の掴み部１０とこの掴み部１０と同位置の基材７端部とを他方の手で持つかあるいはもう一人が持って、一方の把持片１２が接合されている離型紙１１を一方の把持片１２によって基材７からゆっくりと引き剥がした後または引き剥がしつつ、基材７の感圧性接着剤層８面が順次被着体に接するように基材７を掴み部１０ごと被着体に貼着する。次いで、掴み部１０を基材７の内側から外側方向に向けて剥離し、基材７の端末を浮かせることなくかつしわやカールをつくることなく被着体に密着させるように貼着して終了する。このような施用方法はきわめて簡単でかつ安全である。即ち、基材７の端部が貼着作業の最終まで掴み部１０により保護されているので、きわめて薄いフィルムや箔で構成されている基材７の端部に生じるしわやカールの心配をすることなく貼着することができるからである。なお、幅広い基材７を例えば患者の背中等に貼着するときは、図１，図４のように両端部に把持片１２を有するものを用いて、三人で作業し、二人が基材７の両端部をもって支えつつ、一人が離型紙１１の剥離と貼着作業を行えば、基材７の端末及び中央部にしわやカールを生じさせることなく、わけなく貼着することができる。そして、図２，図３，図５，図６の粘着フィルムでは、一端部の把持片１２から施用すれば良い。
【００２４】
【実施例】
次に、この発明による粘着フィルムの実施例を示す。即ち、長さ５０ｃｍ，幅３０ｃｍ，厚さ３０μｍの透明なウレタンフィルムからなる基材７の片面に感圧性接着剤層８としてアクリル粘着剤２０μｍを塗布した図１に示すような形状の粘着フィルムを作成し、その性能を調べると共に実用に供したところ表１のような結果を得た。
【００２５】
【表１】
0003754744.tif 000002
【００２６】
なお、この場合の各構成部位の寸法サイズは表２のようなものであった。
【００２７】
【表２】
0003754744.tif 000003
【００２８】
表１から認められるようにこの発明の粘着フィルムの性能及び実用結果はきわめて満足のいくものであった。
【００２９】
【発明の効果】
以上のように、この発明によれば貼着時における良好な作業性を確保しつつ、貼着後は被着体に対し良好な密着状態を保持し、患者の快適性を損なうことがないし、また基材上に把持片を設ける等の特別な加工を必要としないために、基材の伸びや曲がりを防ぐことができると共に基材へのゴミや埃の付着あるいは汚れを防止できるし、さらに離型紙をカットして形成した掴み部が貼着時の最後まで基材端部を保護しているので、基材端部にしわやカールが生じるのを防ぐことができるし、さらにまた基材を被着体に貼着後掴み部を基材から引き剥がすに際して、基材内側より外側に向けて引き剥がすことにより基材端末を被着体に容易にかつ完全に密着させることができるという効果が得られる。
【図面の簡単な説明】
【図１】この発明の一実施の形態を示す粘着フィルムの縦断側面図である。
【図２】この発明の異なる実施の形態を示す粘着フィルムの縦断側面図である。
【図３】この発明の異なる実施の形態を示す粘着フィルムの縦断側面図である。
【図４】この発明の異なる実施の形態を示す粘着フィルムの縦断側面図である。
【図５】この発明の異なる実施の形態を示す粘着フィルムの縦断側面図である。
【図６】この発明の異なる実施の形態を示す粘着フィルムの縦断側面図である。
【図７】従来の粘着フィルムを示す縦断側面図である。
【図８】従来の異なる粘着フィルムを示す縦断側面図である。
【図９】従来の異なる粘着フィルムを示す縦断側面図である。
【図１０】従来の異なる粘着フィルムを示す縦断側面図である。
【符号の説明】
７  基材
８  感圧性接着剤層
９  カットライン
１０  掴み部
１１  離型紙
１２  把持片
【図１】
0003754744.tif 000004
【図２】
0003754744.tif 000005
【図３】
0003754744.tif 000006
【図４】
0003754744.tif 000007
【図５】
0003754744.tif 000008
【図６】
0003754744.tif 000009
【図７】
0003754744.tif 000010
【図８】
0003754744.tif 000011
【図９】
0003754744.tif 000012
【図１０】
0003754744.tif 000013